(57)【要約】【課題】既設モルタルを剥離せず産業廃棄物も排出することなくすることなく、基盤材の流出を防止し、コンクリート面の早期緑化と長期維持緑化工法を提供すること。【解決手段】モルタルやコンクリートで被覆形成されている法面の緑化範囲に、植栽マット体を固定する適数のアンカーボルトを適所に取付け、更に地山から植栽マット体に水分を補給する給水孔を適所に設け、給水孔内が侵入根で塞がれるのを防止するため防根シートで塞いだ後に客土を約３ｃｍ厚で塗りつけ、該アンカーボルトに種子付植栽マット体を  また１〜５平方メートルの間隔に植栽ケース付植栽マット体を固定し、洋芝に低木や宿根草を交えた混植で早期緑化を図るとともに、縁周りに客土流出防止と風侵入防止の防護カバーを取付け、長期維持緑化を図る植栽マット体によるモルタル法面緑化工法。【選択図】図８
2010285745.tif 000002
【特許請求の範囲】
【請求項１】
モルタルやコンクリートで被覆形成されている法面の適所に適数のアンカーボルトを取付け、適所に防根シートで覆い植物根の侵入を防止し、給水孔を設け、全体に約３ｃｍ厚の客土を施し、先端に鋭角なボルトカバーをセットした該アンカーボルトに植栽マット体を押し当ててマット体を貫き後、ワッシャー付ボルトナットにより、当該植生マット体を法面に固定することを特徴としたモルタル法面緑化工法。
【請求項２】
請求項１に記載のアンカーボルトで植栽マット体を固定するモルタル法面緑化工法において、任意間隔に植栽ケース付植栽マット体を設置し、低木や宿根草を交えた緑化を図り
、設置した植栽マット体の上部部分を除いた縁周りに風除け防護カバーを取付けたことを特徴とするモルタル法面緑化工法。
【請求項３】
請求項１と請求項２に記載のモルタル法面緑化工法において植栽マット体と植栽マット体の間に空間が空く凹凸が多く点在する法面の場合、現場状況に合せ、現場で包形成した植栽マット体を敷設することを特徴としたモルタル法面緑化工法。
【発明の詳細な説明】
【技術分野】
【０００１】
本発明は、モルタル法面・コンクリート法面に植栽マット体を固定し、自然景観の復元と環境負荷の軽減を目的とした緑化工法に関する技術である。
【背景技術】
【０００２】
急傾斜地等の法面をモルタルやコンクリートで覆い崩落防止を図っている現場が多数見受けるが、モルタルやコンクリートで覆われた景観は、その表面が長く緑化されることなく、非常に殺風景であるとともに、これらの法面は太陽光を照り返すことによって温暖化の一原因となると言われる等環境に対する影響が批判を浴びるようになっている。
【０００３】
そこで、緑化の必要性が高まるとともに、この要請に応える緑化工法として、モルタル面を剥離し植生基材による吹付緑化方法と、モルタル面を剥離せずモルタル面に崩落防止金具（ソイルストッパー）を取付け、金網で覆った上に土壌基盤材を混練泥状化したものを吹付ける緑化工法（特許文献１参照）やコンクリート面にネットを張りツタ類を這わせ緑化する工法が行われている。
【０００４】
しかし、モルタル面を剥離し植生基材吹付による緑化方法は、モルタルの剥離に多大な労力とコストが掛かり、剥離した大量のモルタルは、産業廃棄物として処理を必要とする
。また、特許文献１参照の崩落防止金具（ソイルストッパー）を使い法面を金網で覆い、その上から土壌基盤材を吹付ける工法では、吹付けされた基盤材の滑落防止にソイルストッパーを取付けるので、雨水等により土壌基盤材の流落が懸念される。さらにコンクリート面にネット等を張り、ツタを這わす緑化工法では、コストは抑えられるがツタの生長が遅く、コンクリート面全体を覆うには、施工面積によっては数年〜複数年かかる問題点がある。
【特許文献１】特開平９−２５０１３４号公報
【発明の開示】
【発明が解決しようとする課題】
【０００５】
そこで本発明は、従来の緑化工法の持つ課題に鑑み、既設モルタルを剥離することなく基盤材の流出を防止し、コンクリート面の早期緑化と長期維持緑化工法を提供することを目的とする。
【課題を解決するための手段】
【０００６】
本発明は、モルタルやコンクリートで被覆形成されている法面の緑化範囲に、植栽マット体を固定する適数のアンカーボルトを適所に取付け、更に地山から植栽マット体に水分を補給する給水孔を適所に設け、給水孔内が侵入根で塞がれるのを防止するため防根シートで塞いだ後、植栽マット体を敷設する箇所に客土を約３ｃｍ厚で塗りつけ、該アンカーボルトに種子付植栽マット体を  また１〜５平方メートルの間隔に植栽ケース付植栽マット体を固定し、洋芝に低木や宿根草を交えて早期緑化を図るとともに、マット体によりモルタル面の保護を図るモルタル法面緑化工法である。
【０００７】
植生マット体と植栽ケース付植生マット体を設置した縁周りの上部部分を除いた縁周りに客土流出防止と風侵入防止の防護カバーを取付け、長期緑化を図る。また、凹凸が多く点在するモルタル法面にて、植栽マット体と植栽マット体の間に空く空間部を施工箇所に合った植栽マット体を現場で包成形し、設置することによりモルタル法面を植栽マット体で覆うことのできるモルタル法面緑化工法。
【発明の効果】
【０００８】
従来法面に種子付の植生ネットや植生マット等を設置する場合、施工性や緑化速度等を勘案し、法面に敷設した植生ネット等の上からアンカーピンを打設し、植生ネット等を法面に固定する緑化工法が試みられていたが、削孔しなければアンカーピンの打設ができない岩盤・モルタル・コンクリート法面等では、削孔するドリルにネットやマット等が絡みつき施工が不可能であり、やむを得ず基盤材吹付による緑化工法がとられていた。この発明では、植栽マット体を該植栽マットの上からアンカーボルトを打設して法面に押さえるのではなく、予め法面に打設したアンカーボルトに植栽マット体を押さえつけて、ナットで固定するので、ドリルに対するネットやマット等の絡みもなく、削孔を必要とする岩盤・モルタル・コンクリート法面に安全に植栽マット体を設置できて、確実に早期緑化ができる。さらに基盤材吹付の場合、豪雨等の雨水で基盤材が流出しがちであるが、腐植しにくい材質で形成された植栽マット体内の基盤材は流出することなく長期に渡り保持される。また、給水孔と客土層や防護カバーを形成したことにより保水性が高まり、自然水での長期緑化が可能となり植栽マット体を設置したモルタル面は緑に覆われ、老朽化したモルタル面の剥落防止ができる。従って既存のモルタル法面を壊除去することなく経済的で様々な環境負荷の軽減が可能となります。なお、上記モルタル法面緑化工法に散水設備を設置すれば擁壁等の直壁でも緑化することが可能となります。
【発明を実施するための最良の形態】
【０００９】
以下、本発明の緑化工法の実施形態について、図に基づいて詳細に説明する。
図１のイ）は、特願２００７−０６１２２２で公知の植栽マット体１の斜視図であり、ロ）は、植栽マット体１の構造を示す断面図である。構成は、下部より植物の根を通すポリエチレン製平織ネット状シート１ａ、植物の根を通すポリエステル製不織布１ｂの順に重ねて底部を形成し、その底部上に植生基盤土１ｃ（ココピート、水苔、バーク堆肥、ピートモス、黒土の混合土に芝種子、有機肥料、遅効性肥料、化成肥料を添加した人工土壌）を４ｃｍ〜１０ｃｍ厚で敷き詰め圧縮して２ｃｍ〜５ｃｍ厚の植生基盤土に形成し、その上に植物の芽・根を通すレーヨン製不織布１ｄ、植物の芽・根を通すポリエチレン製平織ネット状シート１ａ、の順に重ねて上部を形成し、底部と上部が一体化し植生基盤土の植生基盤体内移動を抑え、構造体を堅持するように縦横所定間隔で腐蝕しにくい縫い糸１ｅを用いて縫製して植栽マット体１とする。
【００１０】
図１は、始めにモルタル法面に設置する植栽マット体設置位置の計測から、植栽マット体を設置固定するまでの手順を説明するものである。
イ）は、モルタル面２に、縦１ｍ×横１ｍ×厚さ５ｃｍの植栽マット体を固定するためのアンカーボルト打設孔３を、約５０ｃｍ間隔でアンカーボルトの直径に合せた大きさの９孔と  モルタル層を突き抜け地山から植栽マット体に水を導く直径２０ミリ前後の水孔４を４孔標準としてドリルにて穿孔する。
ロ）は、イのアンカーボルト打設孔３に露出部分が約８ｃｍ・挿入長が約７ｃｍのアンカーボルト５を打設固定し、植物の根が浸入し、水孔内を塞ぐことを防止するため、水は通すが根が通しにくい防根シート６を水孔口に粘着剤を用い粘着する。
【００１１】
図２のハ）は、水分を吸水する特性を持っているモルタル面と植栽マット体の間に客土を施し、植栽マット体内から水分吸引防止と保水力向上を図り、また生育基盤土層として３ｃｍ前後の厚さで客土７（良質土・バーク堆肥・保水剤・粘着剤・水混合にて練土）を塗りつけ、植栽マット体設置の下地とする。
ニ）は、露出しているアンカーボルトに合せ植栽マット体１を押し当て貫通させ、アンカーボルトにワッシャー付ボルトナット８を取付け、これを締め付けて該植栽マット体１をモルタル法面に固定する。
【００１２】
図３は、固定具のアンカーボルトと植栽マット体を貫通できるアンカーボルトカバーを示す斜視図である。
イ）は、固定金具のアンカーボルト５を示す斜視図で、下部に切り込み５ｃが数本入っており、上部には該切り込み部分を押し広げる挿入杭５ａが挿入されており、アンカーボルト上部にはネジ５ｂが切られている。このアンカーボルトの設置方法は、モルタル法面等にドリルでアンカーボルトが挿入できる孔を開けアンカーボルトを差し込みロ）で示すように頭部部分の挿入杭５ａを打込むと打込まれた挿入杭がアンカーボルトの下部切り込み５ｃ部分を押し広げモルタル内部に固定される。
【００１３】
図３のハ）は、モルタル法面に固定されたアンカーボルトに植栽マット体を貫通させるアンカーボルトカバーを示す斜視図で、アンカーボルトを覆う太さと長さを持ち先端が鋭角に形成されたアンカーボルトカバー９である。
ニ）は、モルタル法面に固定されたアンカーボルト５にアンカーボルトカバー９を装着した状態を示した斜視図である。
【００１４】
図４のイ）は、モルタル面２の適所に適数のアンカーボルト５を固定し、モルタル面２の上に客土７を施し該アンカーボルト５にアンカーボルトカバー９を設置後、その上に植栽マット体１を押し当てて該植栽マット体１を貫いた状態を示した断面図である。なお、適所とは凹凸面の凹の部分を指し、適数とは１平方メートル当たり９本を標準とし、植栽マット体をモルタル法面に密着固定するアンカーボルトの数である。
【００１５】
ロ）は、植栽マット体１をモルタル法面２に密着固定する状態を示した説明図である。
イ）で示した手順で植栽マット体１を貫いたアンカーボルトカバーを外し、アンカーボルト上部のネジ山にワッシャー付ボルトナット８を取付け該ワッシャー付ナットを締め付け
、当該植栽マット体１をモルタル法面２に客土７を挟み込み密着固定する。
【００１６】
図５は、モルタル法面に従来の洋芝だけでなく樹木等を交えた緑化を図るため、植栽マット体に植栽ケースを組み込んだ植栽ケース付植栽マット体を形成するため、植栽ケース内に低木や宿根草を植栽して景観改善型の植栽緑化を図る植栽ケース付植栽マット体を示した説明図である。イ）は、樹脂系ネット１０に不織布１１・ラッセル平織ネット１２を重ね合せ縫製し、植栽ケースの外周部材と底部部材を形成する。ロ）は、外周部材と底部部材を植栽ケース１３に組立てる。ハ）は、組立てた植栽ケース１３を植栽マット体１にボルト１４とナット１５を用いて固定した状態を示す断面図である。ニ）は、モルタル面状に１〜５平方メートルの間隔に設置して、樹木等を交えた植栽緑化を図る植栽ケース付植栽マット体１６である。
【００１７】
図６は、既存のモルタル法面の場合、年月が立つに連れてモルタル滑落の一因となる隙間や空洞１７が雨水等により地山１８とモルタル面２の間に生じていることが多い、このような危険性を含んだ既存モルタル面に４平方メートル当りに１本の割合を標準とし、植栽マット体同士が接する四つ角に太さ１３ミリ・長さ０．５ｍ〜１ｍのネジ山が設けられているアンカーピン１９でモルタル面２を貫き地山１８に打設固定し、頭部ネジ山にメッシュ状押え盤１９ａを通し、ボルトナット１９ｂを取付これを締め付け再度地山とモルタル面を一体化する。なお、打設されるアンカーピンは、引抜け防止を図るため削孔された穿孔内に摩擦力を高める形として、くの字に変形したアンカーピン１９を打設固定し、モルタル面と地山を一体化する。
【００１８】
図７は、図２から図５の手順で緑化範囲に設置した植栽マット体の上部を除く縁廻りに風雨等による客土の流出防止とマット体底部に吹き込む風によるマット内水分の蒸発防止を図る防護カバーを取付けた状態を示す平面図である。防護カバー２０は腐食しにくい塩ビシートで幅２０ｃｍ・長さ４ｍを標準とし、左右両端に太さ２〜３ミリのステンレスワイヤー２０ｂと２０ｃｍ前後間隔で結束バンドが通るハトメ２０ａが付いた孔が形成されている。設置方法は、植栽マット体１や植栽ケース付植栽マット体１６の縁廻りに添って防護カバー２０を１０ｃｍ前後被せ各植栽マット体表面のポリエチレン製平織ネット状シートと該防護カバー２０のハトメ２０ａに結束バンド２１を通し、結束して縁周りを覆う。モルタル面側には、ハトメ２０ａ位置付近に掛止フックが付いた止金具２２をモルタル面に粘着固定し、結束バンド２１にて該ハトメ２０ａと止金具２２を結束固定し、防護カバー２０内に形成されているステンレスワイヤー２０ｂを両端から張り詰めた状態でモルタル面に固定ボルト２３で固定設置する。
【００１９】
図８は、既存のモルタル法面を壊すことなく、モルタル面の風化防止を図りながら、モルタル法面に短草洋芝２４種子入りの植栽マット体と  短草洋芝種子入りの他に低木２５や宿根草２６を植栽した植栽ケース付植栽マット体を固定した植栽緑化工法による緑化状況を示す完成断面図である。
【図面の簡単な説明】
【００２０】
【図１】植栽マット体を示す斜視図と断面図である。
【図２】モルタル法面に植栽マット体を固定する手順を示す説明図である。
【図３】固定具のアンカーボルトとアンカーボルトカバーを示す斜視図である。
【図４】アンカーボルトに植栽マット体を設置固定する説明図である。
【図５】植栽ケース付植栽マット体を示す説明図である。
【図６】既存モルタル面と地山をアンカーピンで再度一体化した状態を示す断面図である。
【図７】植栽マット体の縁廻りに防護カバーを取付けた状態を示す平面図である。
【図８】モルタル法面を芝草と低木で緑化した実例を示す断面図である。
【符号の説明】
【００２１】
１    植栽マット体
１ａ  ポリエチレン製平織ネット状シート
１ｂ  ポリエステル製不織布
１ｃ  植生基盤土
１ｄ  レーヨン製不織布
１ｅ  縫い糸
２    モルタル面
３    アンカーボルト打設孔
４    水孔
５    アンカーボルト
５ａ  挿入杭
５ｂ  ネジ
５ｃ  切り込み
６    防根シート
７    客土
８    ワッシャー付ボルトナット
９    アンカーボルトカバー
１０    樹脂系ネット
１１    不織布
１２    ラッセル平織ネット
１３    植栽ケース
１４    ボルト
１５    ナット
１６    植栽ケース付植栽マット体
１７    空洞
１８    地山
１９    アンカーピン
１９ａ  メッシュ状押え盤
１９ｂ  ボルトナット
２０    防護カバー
２０ａ  ハトメ
２０ｂ  ステンレスワイヤー
２１    結束バンド
２２    止金具
２３    固定ボルト
２４    短草洋芝
２５    低木
２６    宿根草
【図１】
2010285745.tif 000003
【図２】
2010285745.tif 000004
【図３】
2010285745.tif 000005
【図４】
2010285745.tif 000006
【図５】
2010285745.tif 000007
【図６】
2010285745.tif 000008
【図７】
2010285745.tif 000009
【図８】
2010285745.tif 000010
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
モルタルやコンクリートで被覆形成されている法面の適所に適数のアンカーボルトを取付け、適所に給水孔を設け、植物根の侵入を防止する防根シートで覆い全体に約３ｃｍ厚の客土を施し、先端に鋭角なボルトカバーをセットした該アンカーボルトに植栽マット体を押し当ててマット体を貫き後、ワッシャー付ボルトナットにより、当該植生マット体を法面に固定するモルタル法面緑化工法において、任意間隔に植栽ケース付植栽マット体を設置し、低木や宿根草を交えた緑化を図り、設置した植栽マット体の上部部分を除いた縁周りに風除け防護カバーを取付けたことを特徴とするモルタル法面緑化工法。
【手続補正２】
【補正対象書類名】明細書
【補正対象項目名】全文
【補正方法】変更
【補正の内容】
【発明の詳細な説明】
【技術分野】
【０００１】
本発明は、モルタル法面・コンクリート法面に植栽マット体を固定し、自然景観の復元と環境負荷の軽減を目的とした緑化工法に関する技術である。
【背景技術】
【０００２】
急傾斜地等の法面をモルタルやコンクリートで覆い崩落防止を図っている現場を多数見受けるが、モルタルやコンクリートで覆われた景観は、その表面が長く緑化されることなく、非常に殺風景であるとともに、これらの法面は太陽光を照り返すことによって温暖化の一原因となるといわれる等の環境に対する影響が批判を浴びるようになっている。
【０００３】
そこで、緑化の必要性が高まるとともに、この要請に応える緑化工法として、モルタル面を剥離し植生基材による吹付緑化方法と、モルタル面を剥離せずモルタル面に崩落防止金具（ソイルストッパー）を取付け、金網で覆った上に土壌基盤材を混練泥状化したものを吹付ける緑化工法（特許文献１参照）やコンクリート面にネットを張りツタ類を這わせ緑化する工法が行なわれている。
【０００４】
しかし、モルタル面を剥離し植生基材吹付による緑化方法は、モルタルの剥離に多大な労力とコストが掛かり、剥離した大量のモルタルは、産業廃棄物として処理を必要とする
。また、特許文献１参照の崩落防止金具（ソイルストッパー）を使い法面を金網で覆い、その上から土壌基盤材を吹付ける工法では、吹付けされた基盤材の滑落防止にソイルストッパーを取付けるので、雨水等により土壌基盤材の流落が懸念される。さらにコンクリート面にネット等を張り、ツタを這わす緑化工法では、コストは抑えられるがツタの生長が遅く、コンクリート面全体を覆うには、施工面積によっては数年〜複数年かかる問題点がある。
【特許文献１】特開平９―２５０１３４号公報
【発明の概要】
【発明が解決しようとする課題】
【０００５】
そこで本発明は、従来の緑化工法の持つ課題に鑑み、既設モルタルを剥離することなく基盤材の流出を防止し、コンクリート面の早期緑化と長期維持緑化工法を提供することを目的とする。
【課題を解決するための手段】
【０００６】
モルタルやコンクリートで被覆形成されている法面の適所に適数のアンカーボルトを取付け、適所に給水孔を設け、植物根の侵入を防止する防根シートで覆い全体に約３ｃｍ厚の客土を施し、先端に鋭角なボルトカバーをセットした該アンカーボルトに植栽マット体を押し当ててマット体を貫き後、ワッシャー付ボルトナットにより、当該植生マット体を法面に固定するモルタル法面緑化工法において、任意間隔に植栽ケース付植栽マット体を設置し、低木や宿根草を交えた緑化を図り、設置した植栽マット体の上部部分を除いた縁周りに風除け防護カバーを取付けたことを特徴とするモルタル法面緑化工法。
【発明の効果】
【０００７】
従来法面に種子付の植生ネットや植生マット等を設置する場合、施工性や緑化速度等を勘案し、法面に敷設した植生ネット等の上からアンカーピンを打設し、植生ネット等を法面に固定する緑化工法が試みられていたが、削孔しなければアンカーピンの打設ができない岩盤・モルタル・コンクリート法面等では、削孔するドリルにネットやマット等が絡みつき施工が不可能であり、やむを得ず基盤材吹付による緑化工法がとられていた。この発明では、植栽マット体を該植栽マットの上からアンカーボルトを打設して法面に押さえるのではなく、予め法面に打設したアンカーボルトに植栽マット体を押さえつけて、ナットで固定するので、ドリルに対するネットやマット等の絡みもなく、削孔を必要とする岩盤・モルタル・コンクリート法面に安全に植栽マット体を設置できて、確実に早期緑化ができる。さらに基盤材吹付の場合、豪雨等の雨水で基盤材が流出しがちであるが、腐食しにくい材質で形成された植栽マット体内の基盤材は流出することなく長期に渡り保持される
。また、給水孔と客土層や防護カバーを形成したことにより保水性が高まり、自然水での長期緑化が可能となり植栽マット体を設置したモルタル面は緑に覆われ、老杤化したモルタル面の剥落防止ができる。従って既存のモルタル法面を壊除去することなく経済的で様々な環境負荷の軽減が可能となります。なお、上記モルタル法面緑化工法に散水設備を設置すれば擁壁等の直壁でも緑化することが可能となります。
【発明を実施するための最良の形態】
【０００８】
以下、本発明の緑化工法の実施形態について、図に基づいて詳細に説明する。
図１のイ）は、特願２００７−０６１２２２で公知の植栽マット体１の斜視図であり、ロ）は、植栽マット体１の構造を示す断面図である。構成は、下部より植物の根を通すポリエチレン製平織ネット状シート１ａ，植物の根を通すポリエステル製不織布１ｂの順に重ねて底部を形成し、その底部上に植生基盤土１ｃ（ココピート、水苔、バーク堆肥、ピートモス、黒土の混合土に芝種子、有機肥料、遅効性肥料、化成肥料を添加した人工土壌）を４ｃｍ〜１０ｃｍ厚で敷き詰め圧縮して２ｃｍ〜５ｃｍ厚の植生基盤土に形成し、その上に植物の芽・根を通すレーヨン製不織布１ｄ、植物の芽・根を通すポリエチレン製平織ネット状シート１ａ、の順に重ねて上部を形成し、底部と上部が一体化し植生基盤土の植生基盤体内移動を抑え、構造体を堅持するように縦横所定間隔で腐食しにくい縫い糸１ｅを用いて縫製して植栽マット体１とする。
【０００９】
図２は、始めにモルタル法面に設置する植栽マット体設置位置の計測から、植栽マット体を設置固定するまでの手順を説明するものである。
イ）は、モルタル面２に、縦１ｍ×横１ｍ×厚さ５ｃｍの植栽マット体を固定するためのアンカーボルト打設孔３を、約５０ｃｍ間隔でアンカーボルトの直径に合せた大きさの９孔と  モルタル層を突き抜け地山から植栽マット体に水を導く直径２０ミリ前後の給水孔４を４孔標準としてドリルにて削孔する。
ロ）は、イのアンカーボルト打設孔３に露出部分が約８ｃｍ・挿入長が約７ｃｍのアンカーボルト５を打設固定し、植物の根が侵入し、給水孔内を塞ぐことを防止するため、水は通すが根が通しにくい防根シート６を給水孔口に粘着剤を用い粘着する。
【００１０】
図２のハ）は、水分を吸水する特性を持っているモルタル面と植栽マット体の間に客土を施し、植栽マット体内からの水分吸引防止と保水力向上を図り、また生育基盤土層として３ｃｍ前後の厚さで客土７（良質土・バーク堆肥・保水剤・粘着剤・水混合にて練土）を塗りつけ、植栽マット体設置の下地とする。
ニ）は、露出しているアンカーボルトに合せ植栽マット体１を押し当て貫通させ、アンカーボルトにワッシャー付ボルトナット８を取付け、これを締め付けて該植栽マット体１をモルタル法面に固定する。
【００１１】
図３は、固定具のアンカーボルトと植栽マット体を貫通できるアンカーボルトカバーを示す斜視図である。
イ）は、固定金具のアンカーボルト５を示す斜視図で、下部に切り込み５ｃが数本入っており、上部には該切り込み部分を押し広げる挿入杭５ａが挿入されており、アンカーボルト上部にはネジ５ｂが切られている。このアンカーボルトの設置方法は、モルタル法面等にドリルでアンカーボルトが挿入できる孔を開けアンカーボルトを差し込み、ロ）で示すように頭部部分の挿入杭５ａを打込むと打込まれた挿入杭がアンカーボルトの下部切り込み５ｃ部分を押し広げモルタル内部に固定される。
【００１２】
図３のハ）は、モルタル法面に固定されたアンカーボルトに植栽マット体を貫通させるアンカーボルトカバーを示す斜視図で、アンカーボルトを覆う太さと長さを持ち先端が鋭角に形成されたアンカーボルトカバー９である。
ニ）は、モルタル法面に固定されたアンカーボルト５にアンカーボルトカバー９を装着した状態を示した斜視図である。
【００１３】
図４のイ）は、モルタル面２の適所に適数のアンカーボルト５を固定し、モルタル面２の上に客土７を施し該アンカーボルト５にアンカーボルトカバー９を設置後、その上に植栽マット体１を押し当てて該植栽マット体１を貫いた状態を示した断面図である。なお、適所とは凹凸面の凹の部分を指し、適数とは１平方メートル当たり９本を標準とし、植栽マット体をモルタル法面に密着固定するアンカーボルトの数である。
【００１４】
ロ）は、植栽マット体１をモルタル法面２に密着固定する状態を示した説明図である。
イ）で示した手順で植栽マット体１を貫いたアンカーボルトカバーを外し、アンカーボルト上部のネジ山にワッシャー付ボルトナット８を取付け該ワッシャー付ナットを締め付け、当該植栽マット体１をモルタル法面２に客土７を挟み込み密着固定する。
【００１５】
図５は、モルタル法面に従来の洋芝だけでなく樹木等を交えた緑化を図るため、植栽マット体に植栽ケースを組み込んだ植栽ケース付植栽マット体を形成するため、植栽ケース内に低木や宿根草を植栽して景観改善型の植栽緑化を図る植栽ケース付植栽マット体を示した説明図である。イ）は、樹脂系ネット１０に不織布１１・ラッセル平織ネット１２を重ね合せ縫製し、植栽ケースの外周部材と底部部材を形成する。ロ）は、外周部材と底部部材を植栽ケース１３に組立てる。ハ）は、組立てた植栽ケース１３を植栽マット体１にボルト１４とナット１５を用いて固定した状態を示す断面図である。ニ）は、モルタル面状に１〜５平方メートルの間隔に設置して、樹木等を交えた植栽緑化を図る植栽ケース付植栽マット体１６である。
【００１６】
図６は、既存のモルタル法面の場合、年月が立つに連れてモルタル滑落の一因となる隙間や空洞１７が雨水等により地山１８とモルタル面２の間に生じていることが多い、このような危険性を含んだ既存モルタル面に４平方メートル当りに１本の割合を標準とし、植栽マット体同士が接する四つ角に太さ１３ミリ・長さ０．５ｍ〜１ｍのネジ山が設けられているアンカーピン１９でモルタル面２を貫き地山１８に打設固定し、頭部ネジ山にメッシュ状押え盤１９ａを通し、ボルトナット１９ｂを取付これを締め付け再度地山とモルタル面を一体化する。なお、打設されるアンカーピンは、引抜け防止を図るため削孔された穿孔内に摩擦力を高める形として、くの字に変形したアンカーピン１９を打設固定し、モルタル面と地山を一体化する。
【００１７】
図７は、図２から図５の手順で緑化範囲に設置した植栽マット体の上部を除く縁廻りに風雨等による客土の流出防止とマット体底部に吹き込む風によるマット内水分の蒸発防止を図る防護カバーを取付けた状態を示す平面図である。防護カバー２０は腐食しにくい塩ビシートで幅２０ｃｍ・長さ４ｍを標準とし、左右両端に太さ２〜３ミリのステンレスワイヤー２０ｂと２０ｃｍ前後間隔で結束バンドが通るハトメ２０ａが付いた孔が形成されている。設置方法は、植栽マット体１や植栽ケース付植栽マット体１６の縁周りに添って防護カバー２０を１０ｃｍ前後被せ各植栽マット体表面のポリエチレン製平織ネット状シートと該防護カバー２０のハトメ２０ａに結束バンド２１を通し、結束して縁周りを覆う。モルタル面側には、ハトメ２０ａ位置付近に掛止フックが付いた止金具２２をモルタル面に粘着固定し、結束バンド２１にて該ハトメ２０ａと止金具２２を結束固定し、防護カバー２０内に形成されているステンレスワイヤー２０ｂを両端から張り詰めた状態でモルタル面に固定ボルト２３で固定設置する。
【００１８】
図８は、既存のモルタル法面を壊すことなく、モルタル面の風化防止を図りながら、モルタル法面に短草洋芝２４種子入りの植栽マット体と  短草洋芝種子入りの他に低木２５や宿根草２６を植栽した植栽ケース付植栽マット体を固定した植栽緑化工法による緑化状況を示す完成断面図である。
【図面の簡単な説明】
【００１９】
【図１】植栽マット体を示す斜視図と断面図である。
【図２】モルタル法面に植栽マット体を固定する手順を示す説明図である。
【図３】固定具のアンカーボルトとアンカーボルトカバーを示す斜視図である。
【図４】アンカーボルトに植栽マット体を設置固定する説明図である。
【図５】植栽ケース付植栽マット体を示す説明図である。
【図６】既存モルタル面と地山をアンカーピンで再度一体化した状態を示す断面図である。
【図７】植栽マット体の縁周りに防護カバーを取付けた状態を示す平面図である。
【図８】モルタル法面を芝草と低木で緑化した実例を示す断面図である。
【符号の説明】
【００２０】
１    植栽マット体
１ａ  ポリエチレン製平織ネット状シート
１ｂ  ポリエステル製不織布
１ｃ  植生基盤土
１ｄ  レーヨン製不織布
１ｅ  縫い糸
２    モルタル面
３    アンカーボルト打設孔
４    給水孔
５    アンカーボルト
５ａ  挿入杭
５ｂ  ネジ
５ｃ  切り込み
６    防根シート
７    客土
８    ワッシャー付ボルトナット
９    アンカーボルトカバー
１０    樹脂系ネット
１１    不織布
１２    ラッセル平織ネット
１３    植栽ケース
１４    ボルト
１５    ナット
１６    植栽ケース付植栽マット体
１７    空洞
１８    地山
１９    アンカーピン
１９ａ  メッシュ状押え盤
１９ｂ  ボルトナット
２０    防護カバー
２０ａ  ハトメ
２０ｂ  ステンレスワイヤー
２１    結束バンド
２２    止金具
２３    固定ボルト
２４    短草洋芝
２５    低木
２６    宿根草